【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
デバイスツーデバイス通信を行うために通信デバイスを使用して無線インタフェースを介して通信する方法であって、前記方法は、
前記通信デバイスが、移動通信ネットワークによって提供される無線アクセスインタフェースを使用して無線信号を送信または受信するためのカバレッジエリア内にあるか否か、を所定の条件に応じて判定することと、
前記通信デバイスが前記移動通信ネットワークの前記カバレッジエリア内にあると判定された場合、
前記移動通信ネットワークがリソースの割り当てを行う第１のモードに応じて割り当てられた前記無線インタフェースの通信リソースを用いる前記デバイスツーデバイス通信に応じて、前記無線インタフェースを介して１以上の他の通信デバイスに信号を送信または受信することと、
または前記通信デバイスが前記移動通信ネットワークの前記カバレッジエリア内にないと判定された場合、
前記通信デバイスがリソースの所定のセットからリソースを割り当てる第２のモードに応じて割り当てられた前記無線インタフェースの通信リソースを用いる前記デバイスツーデバイス通信に応じて、前記無線インタフェースを介して１以上の他の通信デバイスに信号を送信または受信することと、を含み、
前記通信デバイスが前記移動通信ネットワークの前記カバレッジエリア内にあると判定された場合にリソース割り当ての第１のモードを使用して前記無線インタフェースを介して信号を送信または受信することは、
前記無線アクセスインタフェースの前記通信リソースの割り当てを受信するために前記移動通信ネットワークにアクセスすること、を含み、
前記無線アクセスインタフェースの前記通信リソースにアクセスする際に失敗条件を検出することと、前記失敗条件が検出された場合、リソース割り当ての前記第２のモードを使用して前記無線インタフェースの前記通信リソースにアクセスすることによって、前記無線インタフェースを介して信号を送信または受信することと、を特徴とする、方法。
【請求項２】
前記無線アクセスインタフェースの前記通信リソースの割り当てを受信するために前記移動通信ネットワークにアクセスすることは、
無線リソース制御確立手順を実行すること、を含み、前記通信リソースにアクセスする際に失敗条件を検出することは、前記無線リソース制御確立手順が失敗したことを判定すること、を含む、請求項１に記載の方法。
【請求項３】
前記無線リソース制御確立手順が失敗することを判定することは、
無線リソース制御要求メッセージを送信した後の時間が所定時間を超えたことを検出すること、を含む、請求項２に記載の方法。
【請求項４】
前記所定時間は、前記無線リソース制御確立手順の一部として送信されるメッセージに対する１以上の応答が受信される、無線リソース確立手順の失敗に関連する時間よりも短い、請求項３に記載の方法。
【請求項５】
前記無線アクセスインタフェースの前記通信リソースにアクセスすることは、
無線リソース接続状態でデバイスツーデバイス通信を行うために、前記移動通信ネットワークからの前記無線アクセスインタフェースの前記通信リソースの割り当てを要求すること、を含み、前記失敗条件を検出することは、
前記要求された前記無線アクセスインタフェースの前記通信リソースへのアクセスが、前記移動通信ネットワークによって割り当てられていないことを判定すること、を含む、請求項１に記載の方法。
【請求項６】
前記要求された前記無線アクセスインタフェースの前記通信リソースへのアクセスが前記移動通信ネットワークによって割り当てられていないことを判定することは、
前記無線アクセスインタフェースの前記通信リソースが割り当てられることなしに、ランダムアクセス要求メッセージを送信した後の時間が所定時間を超えたことを検出すること、を含む、請求項５に記載の方法。
【請求項７】
前記所定時間は、ランダムアクセスメッセージを送信した後に１以上の応答メッセージを受信するための、失敗に関連する時間よりも短い、請求項６に記載の方法。
【請求項８】
前記失敗条件は、前記移動通信ネットワークから受信された信号強度が所定の閾値未満であることを検出することによって判定される、請求項１に記載の方法。
【請求項９】
前記失敗条件は、無線リンク失敗条件を検出することによって判定される、請求項１に記載の方法。
【請求項１０】
前記無線リンク失敗条件は、所定数の同期外れの指示を判定すること、または所定時間の同期外れを検出することにより検出される、請求項９に記載の方法。
【請求項１１】
リソース割り当ての前記第２のモードは、デバイスツーデバイス通信プロトコルに応じてリソースの所定のセットにアクセスすること、を含み、前記デバイスツーデバイス通信プロトコルは、デバイスツーデバイス通信を実行する１または複数の他の通信デバイスで通信リソースの前記所定のセットに対する競合アクセスを行うことを含む、請求項１に記載の方法。
【請求項１２】
通信デバイスであって、
デバイスツーデバイス通信を実行するために無線アクセスインタフェースを介して１以上の他の通信デバイスに信号を送信するように構成された送信機と、
前記無線アクセスインタフェースを介して前記１以上の他の通信デバイスから信号を受信するように構成された受信機と、
デバイスツーデバイス通信に応じて前記信号によって表されるデータを送信または受信するために、前記無線アクセスインタフェースを介して前記信号を送信または受信するように前記送信機と前記受信機を制御するためのコントローラと、を備え、前記コントローラは、
前記通信デバイスが、移動通信ネットワークによって提供される無線アクセスインタフェースを使用して無線信号を送信または受信するためのカバレッジエリア内にあるか否か、を所定の条件に応じて判定し、
前記通信デバイスが前記移動通信ネットワークの前記カバレッジエリア内にあると判定された場合、
前記移動通信ネットワークがリソースの割り当てを行う第１のモードに応じて割り当てられた前記無線アクセスインタフェースの通信リソースを用いる前記デバイスツーデバイス通信に応じて、前記無線アクセスインタフェースを介して１以上の他の通信デバイスに信号を送信または受信し、または前記通信デバイスが前記移動通信ネットワークの前記カバレッジエリア内にないと判定された場合、
前記通信デバイスがリソースの所定のセットからリソースを割り当てる第２のモードに応じて割り当てられた前記無線アクセスインタフェースの通信リソースを用いる前記デバイスツーデバイス通信に応じて、前記無線アクセスインタフェースを介して１以上の他の通信デバイスに信号を送信または受信するように、前記送信機と前記受信機と組み合わせて構成され、
前記通信デバイスが前記移動通信ネットワークの前記カバレッジエリア内にあると判定された場合にリソース割り当ての第１のモードを使用して前記無線アクセスインタフェースを介して信号を送信または受信することは、
前記無線アクセスインタフェースの前記通信リソースの割り当てを受信するために前記移動通信ネットワークにアクセスすること、を含み、
前記コントローラはさらに、
前記無線アクセスインタフェースの前記通信リソースにアクセスする際に失敗条件を検出するように、前記送信機と前記受信機と組み合わせて構成され、
前記失敗条件が検出された場合、リソース割り当ての前記第２のモードを使用して前記無線アクセスインタフェースの前記通信リソースにアクセスすることによって、前記無線アクセスインタフェースを介して信号を送信または受信すること、を特徴とする、通信デバイス。
【請求項１３】
前記コントローラは、
無線リソース制御確立手順を実行することにより、前記無線アクセスインタフェースの前記通信リソースの割り当てを受信するために前記移動通信ネットワークにアクセスし、前記無線リソース制御確立手順が失敗したことを判定することによって、前記通信リソースにアクセスする際に前記失敗条件を検出するように、前記送信機と前記受信機と組み合わせて構成される、請求項１２に記載の通信デバイス。
【請求項１４】
前記コントローラは、
無線リソース制御要求メッセージを送信した後の時間が所定時間を超えたことを検出することによって、前記無線リソース制御確立手順が失敗することを判定するように、前記送信機と前記受信機と組み合わせて構成される、請求項１３に記載の通信デバイス。
【請求項１５】
前記所定時間は、前記無線リソース制御確立手順の一部として送信されるメッセージに対する１以上の応答が受信される、無線リソース確立手順の失敗に関連する時間よりも短い、請求項１４に記載の通信デバイス。
【請求項１６】
前記コントローラは、
無線リソース接続状態でデバイスツーデバイス通信を行うために、前記移動通信ネットワークからの前記無線アクセスインタフェースの前記通信リソースの割り当てを要求することによって、前記無線アクセスインタフェースの前記通信リソースの割り当てを受信するために前記移動通信ネットワークにアクセスし、前記要求された前記無線アクセスインタフェースの前記通信リソースへのアクセスが、前記移動通信ネットワークによって割り当てられていないことを判定することによって、前記失敗条件を検出するように、前記送信機と前記受信機と組み合わせて構成される、請求項１２に記載の通信デバイス。
【請求項１７】
前記コントローラは、
前記無線アクセスインタフェースの前記通信リソースが割り当てられることなしに、ランダムアクセス要求メッセージを送信した後の時間が所定時間を超えたことを検出することによって、前記要求された前記無線アクセスインタフェースの前記通信リソースへのアクセスが前記移動通信ネットワークによって割り当てられていないことを判定するように、前記送信機と前記受信機と組み合わせて構成される、請求項１６に記載の通信デバイス。
【請求項１８】
前記所定時間は、ランダムアクセスメッセージを送信した後に１以上の応答メッセージを受信するための、失敗に関連する時間よりも短い、請求項１７に記載の通信デバイス。